(57)【特許請求の範囲】
【請求項１】
略平板状の基材表面に略矩形状の凸部が所定の間隔を空けて複数配列されると共に隣接する前記凸部間には凹溝部が形成され、前記凸部及び前記凹溝部にはそれぞれ複数の角棒状の線状柄が設けられた建築板であって、
前記凸部に設けられた前記線状柄の延伸方向と、前記凹溝部に設けられた前記線状柄の延伸方向とは互いに略直交する方向であり、
前記線状柄の延伸方向と直交する方向で、所定の間隔を空けつつ互いに略平行に対向して隣り合う前記線状柄どうしが配列されており、
前記線状柄の延伸方向における配列は、前記線状柄の延伸方向と直交する方向に交互にずれている
ことを特徴とする建築板。
【請求項２】
前記凸部は長尺に形成され、前記凹溝部に配列されている前記線状柄は、前記凸部の長尺方向に沿って延伸していることを特徴とする請求項１に記載の建築板。
【請求項３】
前記線状柄の延伸方向に配列された複数の前記線状柄において、一つの線状柄の両隣に位置する線状柄どうしは互いに同一直線状に位置していることを特徴とする請求項１又は２に記載の建築板。
【発明の詳細な説明】
【技術分野】
【０００１】
本発明は、意匠模様を有し、家屋等の壁面を形成するための建築板に関する。
【背景技術】
【０００２】
家屋等の外壁等の壁面には高い意匠性が付与されることが求められている。外壁に意匠性を付与させる方法の一つとして、例えば、表面に柄、目地等の凹凸模様、あるいは、着色、塗装等が施されセメント系等の建築板を壁に貼り合わせて施工する方法がある。このような建築板を用いて外壁を形成させると、例えば、レンガ積み、石積み、タイル張り、木板張り等の多種多様の意匠を外壁に付与でき、家屋等の外壁に重厚感や高級感を与えることができる。また、近年では、家屋等の他、娯楽施設等の建物の外壁でも、意匠性を付与することが求められており、例えば、視覚に訴えて心地良い感覚を与える外観や、錯覚効果を利用して、模様が揺れ動く感覚を与えるような外観を有する外壁も望まれている。このように外壁の模様が揺れ動いているように視認されると、建築板が例えばセメント系の素材で構成されるものであっても、そのような素材自体の印象を受けにくいものとなる。そのため、建築板の材料種にかかわらず、外壁に一定の統一された外観を与えることができる。さらに、建築板の側端面どうしを突き合わせて施工して外壁を形成させるにあたって、その突合せ部分がずれたとしても、模様全体が揺れ動いているような感覚に視認されていれば、そのような位置ずれを目立ちにくくすることができる。
【０００３】
意匠性を付与できる建築板の具体例として、凹部と凸部とが形成されたセメント系建築板において、凹部に凸部と色調の異なる塗膜を形成し、凹部上の塗膜がゆらぐような模様（波状模様）で形成された建築板が提案されている（例えば、特許文献１等を参照）。
【先行技術文献】
【特許文献】
【０００４】
【特許文献１】特開２００７−７０５号公報
【発明の概要】
【発明が解決しようとする課題】
【０００５】
しかし、上記建築板では、外壁に自然で立体感のある意匠性を付与することができるが、隣接する建築板において、これらの側端面どうしの突き合せ部分の位置ずれが生じた場合に、そのずれが目立ってしまうことがあり、意匠性を低下させる原因となっていた。
【０００６】
本発明は上記の点に鑑みてなされたものであり、家屋等の壁面を形成するにあたって、隣り合う基材どうしの間に位置ずれが発生したとしても、その位置ずれを目立ちにくくすることができ、家屋等の壁面に高い意匠性を付与することができる建築板を提供することを目的とするものである。
【課題を解決するための手段】
【０００７】
本発明に係る建築板は、略平板状の基材表面に略矩形状の凸部が所定の間隔を空けて複数配列されると共に隣接する前記凸部間には凹溝部が形成され、前記凸部及び前記凹溝部にはそれぞれ複数の角棒状の線状柄が設けられた建築板であって、前記凸部に設けられた前記線状柄の延伸方向と、前記凹溝部に設けられた前記線状柄の延伸方向とは互いに略直交する方向であり、前記線状柄の延伸方向と直交する方向で、所定の間隔を空けつつ互いに略平行に対向して隣り合う前記線状柄どうしが配列されており、前記線状柄の延伸方向における配列は、前記線状柄の延伸方向と直交する方向に交互にずれていることを特徴とする。
【０００８】
また、本発明において、前記凸部は長尺に形成され、前記凹溝部に配列されている前記線状柄は、前記凸部の長尺方向に沿って延伸していることが好ましい。
【０００９】
また、本発明において、前記線状柄の延伸方向に配列された複数の前記線状柄において、一つの線状柄の両隣に位置する線状柄どうしは互いに同一直線状に位置していることが好ましい。
【発明の効果】
【００１０】
本発明の建築板によれば、表面の凸部及び凹溝部に線状柄がそれぞれ互いに略直交する方向に延伸して形成されつつ、線状柄が配列されているので、その線状柄により形成される模様が揺れ動いているような感覚で視認することができるものである。そのため、本発明の建築板で家屋等の壁面を形成すると、その壁面に従来にはない優れた意匠性を付与することができる。また、本発明の建築板を順次貼り合わせしつつ家屋等の壁面を施工するに際して、隣接する建築板どうしがずれて施工されても、その位置ずれを目立ちにくくすることができるものである。
【図面の簡単な説明】
【００１１】
【図１】（ａ）は本発明の建築板の実施の形態の一例を示す平面図の一部、（ｂ）は本発明の建築板を得るために使用する基材の平面図である。
【図２】同上の建築板の側面図を示す。
【図３】同上の他の実施の形態の一例を示す平面図の一部である。
【図４】同上の建築板の他の実施の形態の一例を示し、この建築板を得るために使用する基材の平面図を示す。
【図５】本発明の建築板の実施の形態の一例（図１の実施の形態と同じ）を示す一部の平面図である。
【図６】同上の他の実施の形態の一例（図３の実施の形態と同じ）を示す一部の平面図である。
【発明を実施するための形態】
【００１２】
以下、本発明を実施するための形態を説明する。
【００１３】
図１（ａ）は、本発明の建築板Ａの実施の形態の一例を示しており、２枚の建築板Ａの互いの側端面どうしを突き合わせた状態を示す一部の平面図である。尚、互いの建築板Ａどうしが突き合わされた部分は、突き合わせ部２０として図示している。本発明の建築板Ａは、基材１の表面に複数の凸部２及び凹溝部３が設けられて凹凸柄が形成されるものである。さらに、凸部２及び凹溝部３には、複数の線状柄５が配列して設けられており、これらの線状柄５によって、基材１の表面に柄模様が付されたものとなっている。以下、図１により本発明の建築板Ａを詳述する。
【００１４】
図１（ｂ）は、本発明の建築板Ａを得るための基材１の一例を示すものであり、その一部の平面図を示している。具体的に図１（ｂ）に示す基材１は、建築板Ａに線状柄５が付される前の状態を示すものである。
【００１５】
基材１の形状は、特に制限されるものではないが、建築板Ａを壁に順次取り付け固定させて例えば外壁などの壁面を形成させることを考慮すれば、長方形、正方形等の矩形状であるものが好適に使用され得る。基材１の寸法は特に限定されるものではないが、例えば、略矩形状に形成されている場合は縦寸法が３００〜９００ｍｍ、横寸法が９００〜３０００ｍｍとすることができる。尚、この場合の縦横方向とは、建築板Ａを貼り付ける壁下地の正面視に対する縦横方向と同じである。
【００１６】
基材１の一方の面には、複数の凸部２が形成されている。尚、本明細書では、凸部２が形成されている面を、基材１の表面としている。複数の凸部２はいずれも基材１の表面から上方に突出するように設けられている。
【００１７】
図１（ｂ）の実施の形態では、凸部２は平面視で略長方形状に形成されている。そして、この略平面視略長方形状の凸部２は、基材１の一端側から他端側に向かう方向（図示では基材１の横方向）に向かって延伸するように形成され、基材１の略全長に亘って設けられている。さらに、この凸部２は、その延伸方向と略直交する方向（図示では基材１の縦方向）に向かって、所定の間隔を空けながら、基材１の略全長に亘って複数配列されて設けられている。この場合、隣り合う凸部２、２は、互いの凸部２の長辺どうしが対向するように配置されており、複数の凸部２はいずれも略平行に配列されていることになる。
【００１８】
隣り合う凸部２、２は、等間隔であってもよいし、異なる間隔で配列されていてもよいが、家屋等の壁面を形成させたときに、その壁面模様に統一感が現れるという点で、等間隔であることが好ましい。同様の理由により、複数の凸部２は、いずれも略同サイズであることが好ましい。
【００１９】
一方、隣り合う凸部２、２の間には、略平坦状の凹溝部３が凸部２の長辺方向に沿って形成されており、基材１の略全長に亘って設けられている。また、図１（ｂ）に示す基材１では、凹溝部３は、隣り合う凸部２、２の間のみならず、基材１表面の外端部全周に沿って形成されている。
【００２０】
以上のように、図１（ｂ）に示す基材１では、基材１の一端から他端に向かって凸部２と凹溝部３とが、それぞれ基材１の一方向の略全長に亘って互いに平行に設けられている。そして、凸部２の延伸方向と直交する方向において、凸部２と凹溝部３とは基材１表面に交互に形成されてなるものである。すなわち、図２に示すように、基材１の表面において凸部２と凹溝部３とが互いに交互に形成されて断面略波形状に形成されたものである。尚、図２は、凸部２の長尺方向からの基材１の断面を示すものである。基材１表面に凸部２と凹溝部３とが上記のように形成されることで、基材１の表面には、いわゆるボーダー柄模様が形成されるようになっている。
【００２１】
本発明で使用する基材１は、図１（ｂ）の形態に限らず、例えば、基材１の、凸部２の延伸方向と直交する方向における両側端部（又は少なくとも一方の側端部）には、凹溝部３ではなくて、凸部２が形成されるものであってもよい。また、凸部２は基材１の全長に亘って設けられていてもよい。
【００２２】
凸部２の周側面２ａは、図１、２に示すように、基材１表面に向かって傾斜面を有するように形成されていてもよく、あるいは、周側面２ａは傾斜せずに基材１の表面に対して垂下するように形成されていてもよい。また、凸部２の頂面は、線状柄が付されやすいように通常は平坦に形成されているものである。
【００２３】
凸部２の高さ（基材１の裏面側端部から凸部２頂部までの長さ）や、基材１の裏面側端部から凹溝部３表面までの長さは、特に限定されるものではない。また、複数の凸部２はいずれも同じ高さに形成させるようにすればよい。
【００２４】
次に、図１（ｂ）に示す基材１に付される線状柄５について説明する。
【００２５】
図１（ａ）に示しているように、線状柄５は、凸部２及び凹溝部３のそれぞれに複数付されて（描かれて）なるものである（参考として、図５も参照）。
【００２６】
線状柄５は、略直線状、波状や円弧状のような曲線状、折れ線状、あるいはこれらが組み合わされて形成された線状等、特に限定されるものではなく、目的の模様に応じて適宜選定すればよい。特に、線状柄５は、図１の実施の形態のように長尺と短尺を有する角棒状に形成されていることが好ましく、この場合、後述のように、建築板Ａで壁面を形成させた場合に、壁面の模様が揺れ動いて見えやすいものとなり、錯覚効果を与え易いものとなる。
【００２７】
凸部２に付されている線状柄５（以下、「凸部線状柄５１」ということがある）は、その延伸方向、すなわち、線状柄５の一端から他端に向かって延びる方向が、すべて同じ方向を向くように配列されて設けられるものである。この場合、建築板Ａの意匠性に統一感が生じ、意匠性が高くなりやすい。尚、線状柄５が曲線状である場合の線状柄５の延伸方向とは、線状柄５の一端と他端を直線で結んだ場合のその直線が延伸する方向のことをいう。
【００２８】
凸部線状柄５１は、凸部２の頂面に複数付されて配列されるものであるが、凸部２の周側面２ａが傾斜面を形成している場合は、その周側面２ａにも凸部線状柄５１を付して配列させるようにすればよい。複数の凸部線状柄５１は、凸部２の頂部の略全面（傾斜面にも付す場合は傾斜面の略全面）に亘って均等に配置されるように設けるようにすればよく、この場合、壁面の模様が揺れ動いて見えやすくなる。
【００２９】
一方、凹溝部３に付されている線状柄５（以下、「凹溝部線状柄５２」ということがある）も凸部線状柄５１と同様に、凹溝部線状柄５２の延伸方向がすべて同じ方向を向くように配列させることができる。複数の凹溝部線状柄５２は、凹溝部３の略全面にわたって付すようにすればよい。
【００３０】
そして、本発明の建築板Ａでは、凸部線状柄５１の延伸方向と、凹溝部線状柄５２の延伸方向とが、互いに略直交する方向となるように、それぞれが形成されている。具体的には、凸部線状柄５１の延伸方向と、凹溝部線状柄５２の延伸方向とのなす角度が６０〜１２０°となる。このように凸部線状柄５１及び凹溝部線状柄５２を設けるようにすることで、建築板Ａを施工して壁面を形成させると、線状柄５による建築板Ａの模様が揺れ動くような感覚となり、いわゆる見る者に錯覚効果を引き起こすことができる。そのため、壁面の模様が目立ちやすくなり、また、壁面に斬新なデザインを施すことができる。また、壁面を形成させる際に建築板Ａの側端面どうしの突き合わせ部２０がずれて、凹溝部３による目地ずれが生じたとしても、模様が揺れ動くような感覚によって、その位置ずれが目立ちにくいものとなり、壁面に優れた意匠性をもたらすことができる。
【００３１】
凸部２が平面視で長方形状に形成されている場合は、図１の実施の形態のように（又は図５の実施形態も参照）、複数設けられている凹溝部線状柄５２の延伸方向はいずれも、凸部２の長辺方向（すなわち、凸部２の延伸方向）と同じ方向であることが好ましい。この場合、複数の凸部線状柄５１はすべて、その延伸方向が凸部２の短辺と平行になるように配列されていることになる。このように、凹溝部線状柄５２の延伸方向が凸部２の長辺方向と同方向となるように配列されている建築板Ａで壁面を形成させると、壁面の模様が、より揺れ動いているような感覚で見えやすいものとなる。そのため、建築板Ａに優れた意匠性を付与でき、上記位置ずれを、より目立ちにくくすることができるものである。
【００３２】
尚、本発明では上記のように左右に位置する建築板Ａの側端面どうしの突き合わせ部２０のみならず、例えば、上下又は左右端面に実部が形成された建築板Ａにおいて、互いの建築板Ａが相決り（あいじゃくり）接合されて形成される接合部においても上記同様の効果を有するものである。
【００３３】
ここで、複数ある線状柄５の配列の状態についてさらに詳述する。
【００３４】
図１の実施の形態では、線状柄５の延伸方向と略直交する方向で隣り合う線状柄５、５どうしは、所定の間隔を空けつつ互いに略平行に対向して配列されている。一方、線状柄５の延伸方向で隣り合う（又は、近接する）線状柄５、５どうしは、互いに同一直線状には配列されておらず、線状柄５の延伸方向と直交する方向にずらされて配置されている。すなわち、線状柄５と、この線状柄５の側端に近接して位置している線状柄５とは互いに同一直線状にはなく、ずれた状態で配置されているものとなる。尚、上記「線状柄５の延伸方向で隣り合う線状柄５、５どうし」とは、一つの線状柄５に対し、その線状柄５の延伸方向で最も近くの位置にある線状柄５との位置関係のことを示す。
【００３５】
また、線状柄５の延伸方向に沿って線状柄５が３以上配列されている場合は、一つの線状柄５の両側端に位置する線状柄５、５どうしは、互いに略同一直線状に配置されている。すなわち、線状柄５の延伸方向における配列は、図１に示す凹溝部線状柄５２の配列のように、線状柄５の延伸方向と直交する方向に交互にずれながら、線状柄５の延伸方向に沿って配列されている。
【００３６】
上記のように線状柄５が配列された場合、建築板Ａに付された線状柄５は、全体として、いわゆる市松模様状（あるいはチェック柄状といってもよい）のように形成されたものとなる。すなわち、図１（又は図５）において、一つの線状柄５を長方形として見立てた場合、長方形状の各線状柄５が縦横方向に線状柄５と同サイズの間隔を空けながら、規則的に配列されるようになる。
【００３７】
このように線状柄５が市松模様状に付された場合、このような建築板Ａで壁面を形成させると、壁面の模様が揺れ動いて見える感覚がさらに強いものとなり、模様を見る者により大きな錯覚を惹起させ得るものとなって、より目立った外観にすることができる。また、壁面を眺める地点と壁面との角度や距離によって、異なる模様に視認されるようになり、遠近効果のある模様になり得る。さらに、壁面の模様が揺れ動いて見える感覚がさらに強くなることで、建築板Ａの素材そのものの印象を受けにくいものとなり、建築板Ａの素材の種類によらず、一定の外観模様を付与することができるものとなる。また、壁面を形成させる際に建築板Ａの側端面どうしがずれて突合わされて凹溝部３による目地ずれが生じたとしても、そのずれが目立ちにくいものとなり、壁面に優れた意匠性をもたらすことができる。さらに、上記のように線状柄５を市松模様状に付す場合、線状柄５の色彩を、例えば、白色及び黒色としてそれぞれ交互に彩色させるなどすれば、建築板Ａに明暗によるコントラストが付与されるので、上述の効果がより顕著に発現するものとなる。
【００３８】
本発明の建築板Ａにおいて、複数形成されている凸部線状柄５１は、いずれも同形状、すなわち、同じ長さ及び同じ太さで形成されていること、また、複数形成されている凹溝部線状柄５２も、いずれも同形状、すなわち、同じ長さ及び同じ太さで形成されていることが好ましい。例えば、凸部線状柄５１の長さは、凸部２の短辺の長さの略半分〜１／３程度にすることができ、凹溝部線状柄５２もこれと同じ長さにすることができる。
【００３９】
さらに、図１の実施の形態のように、凸部線状柄５１及び凹溝部線状柄５２はいずれも等間隔で規則的に配列して設けられていることが好ましい。このような場合、壁面に形成される模様が全体として美麗となり、統一感が生じるものとなりやすく、より高い意匠性をもたらすことが可能となる。
【００４０】
本発明の建築板Ａにおいては、複数の線状柄５の長さや太さは、建築板Ａの寸法や、凸部２、凹溝部３の寸法によって、適宜設定することができ、また、複数ある線状柄５の中で、長さ、太さが異なるものが一部混在しているようなものであってもよい。
【００４１】
図３に示す実施の形態はその一例であり、この実施の形態にあっては、凹溝部線状柄５２の太さを異ならせるようにしたものである（参考として、図６も参照）。ここで、凹溝部線状柄５２の太さとは、凹溝部線状柄５２の延伸方向と直交する方向の長さ、すなわち、凹溝部線状柄５２の短辺長さ）のことをいう。
【００４２】
具体的に説明すると、図３の実施の形態では、凸部２の長辺方向に沿って形成されている凹溝部３において、凹溝部線状柄５２の延伸方向（凹溝部線状柄５２の長辺方向）で隣り合う凹溝部線状柄５２どうしは、同じ太さで形成されている。一方、凹溝部線状柄５２の延伸方向と直交する方向（凹溝部線状柄５２の短辺方向）で隣り合う凹溝部線状柄５２どうしは、互いに異なる太さで形成されている。すなわち、凸部２の長辺方向に沿って複数の列を形成しながら配列されている凹溝部線状柄５２において、その列ごとに凹溝部線状柄５２の太さが異なるように、凹溝部線状柄５２が形成されたものである。各列の凹溝部線状柄５２の太さは、適宜の太さに形成させればよい。また、例えば、凹溝部３に凹溝部線状柄５２が凸部２の長辺方向に沿って３列配列されている場合、両端の列の凹溝部線状柄５２の太さが同じで、中央の凹溝部線状柄５２の太さだけが異なっていてもよいし、３列すべてが異なる太さであってもよい。凹溝部３に凹溝部線状柄５２が４列以上配列されて形成されている場合も同様である。このように列ごとに凹溝部線状柄５２の太さが異なるものであるが、その配列順は、複数ある凹溝部３において、それぞれ異なっていてもよいし、同じであってもよい。尚、凹溝部線状柄５２の太さは、特に制限はなく、凹溝部３の幅（すなわち、凸部２の短辺方向で隣り合う凸部２、２間の距離）より短ければ、適宜の太さにすればよい。
【００４３】
以上のように、凹溝部線状柄５２の太さを上記のように異ならすことによって、建築板Ａで壁面を形成させる際に建築板Ａの側端面どうしがずれて突合わされたとしても、その位置ずれが目立ちにくいものとなり、壁面により優れた意匠性をもたらすことができる。また、建築板Ａの上下端面または左右端面に実部が形成され、互いの建築板Ａが相決（あいじゃくり）接合されて接合部が形成される場合においても、上記同様の効果を有するものである。
【００４４】
もちろん、本発明の建築板Ａで使用する基材１は、図１（ｂ）の形態のものに限られたものではない。例えば、図１（ｂ）の形態では、長尺に形成された凸部１が、その長辺方向に沿って基材１の全長に亘って形成されているものであるが、これに限らず、例えば、図４に示すように、長尺方向にも所定の間隔を空けながら複数形成されるものであってもよい。要するにこの場合、複数の凸部２が、基材１上において縦方向（凸部２の短辺方向）及び横方向（凸部２の長辺方向）に亘って所定の間隔、例えば等間隔で規則的に配列されて形成されるものとなる。そして、このような基材１では、複数の凸部２の間に凹溝部３が形成されているので、格子模様状に基材１が形成されてなるものである。尚、その他の構成については、図１（ｂ）に示す基材と同様であり、また、線状柄５も上述と同様の構成で設けることができる。また、図４では、各々の凸部１は長尺矩形状に形成されているが、正方形状のものであってもよい。
【００４５】
上記のように、本発明における基材１としては、表面に平面視略矩形状の凸部が所定の間隔を空けて複数配列され、かつ、隣り合う凸部２間に凹溝部３が形成されたものであればよい。この場合、隣り合う凸部２間の間隔は等間隔でなくてもよく、また、各凸部は縦横に整列されたものでなくてもよいが、壁面の意匠性が低下しにくいという点で、凸部２は縦方向及び横方向にそれぞれ等間隔に整列されていることが好ましい。また、同様の理由により、複数形成された凸部２はいずれも同形状、同サイズに形成されていることが好ましい。
【００４６】
本発明の建築板Ａにおいて、線状柄５の色彩は任意の色に設定することが可能である。特に、本発明の建築板Ａの場合では、隣り合う凸部２、２において、一方の凸部２に付されている凸部線状柄５１と、他方の凸部２に付されている凸部線状柄５１とは、互いに異なる色彩であることが好ましい。この場合、模様が揺れ動いて見える効果が大きくなるほか、建築板Ａ表面の凹凸模様による立体感もより顕著に現れ、より実用的なデザインを有する壁面を形成させることができるものである。一方、複数ある凹溝部線状柄５２の色彩は、いずれも同じ色彩になるようにすればよく、また、凸部線状柄５１の色彩とは異なる色彩にしてもよい。
【００４７】
線状柄５の色彩は、例えば、市販の色差計、分光測色計、色彩色差計等で判別することができ、上記のように隣り合う凸部２に付されている凸部線状柄５１の色彩が異なることを判別することができる。少なくとも、隣り合う凸部２に付されている凸部線状柄５１の色彩は、視認できる程度で異なる色彩であればよい。
【００４８】
本発明の建築板Ａ（基材１）は、窯業系基材や金属系基材のように無機質の材料で構成されたものや、樹脂系基材のように有機質の材料で構成されたものであってもよい。無機質の材料で構成されるものであれば、例えば、フレキシブルボード、珪酸カルシウム板、石膏スラグパーライト板、木片セメント板、プレキャストコンクリート板、ＡＬＣ板、石膏ボード等の無機質板を用いることができる。上記窯業系基材は、無機質硬化体の原料となる水硬性膠着材に無機充填剤、繊維質材料等を配合し、成形した後に養生硬化させて作製することができる。水硬性膠着材としては、特に限定されるものではないが、例えば、ポルトランドセメント、高炉セメント、高炉スラグ、ケイ酸カルシウム、石膏等から選ばれたものの一種あるいは複数種を用いることができる。また、無機充填剤としては、フライアッシュ、ミクロシリカ、珪砂等を、繊維質材料としては、パルプ、合成繊維等の無機繊維や、スチールファイバー等の金属繊維を、それぞれ単独であるいは複数種併せて用いることができる。
【００４９】
基材１は、押出成形や注型成形、抄造成形、プレス成形等の方法により、所望の形状に成形させればよい。また、基材１の表面に形成させる凹凸柄（凸部２及び凹溝部３）の形状に応じて、使用する金型を適宜選択すれば、例えば、図１（ｂ）に示すような凹凸模様を有する基材１を得ることができる。基材１を成形して得た後は、必要に応じてオートクレーブ養生、蒸気養生、常温養生を行えばよい。
【００５０】
また、上記のように得られた基材１表面には、溶剤系、水溶性あるいはエマルション系のシーラーにより目止めを行い、さらに、その表面にインク等の吸着を促進させる層（受理層）を、例えば水性塗料を用いて形成させるなどすることもできる。この場合、例えば後述のように、線状柄５をインクジェット塗装などで印刷して形成させる場合に、そのインク定着性に優れるものとなり、インクの滲み等の発生を抑制することができる。上記シーラーにより目止めや受理層の形成方法については公知の方法を採用することができる。使用されるシーラーとしては、特に限定されるものではないが、アクリル系やラテックス系のものを使用することができる。また、受理層を形成させる水性塗料としては、アクリル系エマルションをベースにしたアクリル樹脂塗料や、アクリルシリコン系エマルションをベースにしたアクリルシリコン樹脂塗料を用いることができる。水性塗料には、シリカ、アルミナ等の体質顔料と、酢酸ビニル等の吸湿性樹脂のうちの少なくとも一方を配合しておくのが好ましい。この場合、インクの定着性を向上させることができると共に、発色性も向上させることができるものである。
【００５１】
線状柄５の基材１への形成方法は、特に制限されるものではないが、例えば、公知のインクジェット塗装などにより印刷することにより、線状柄５を基材１に付すことができる。その他、線状柄５の基材１への形成方法としては、ロール塗装、静電塗装、粉体塗装等、各種の方法を採用することができる。
【００５２】
本発明の建築板Ａでは、上記のように従来にはない意匠性を付与することができるものであり、住宅のみならず、例えば娯楽施設等に建設させるような建物の壁面に対しても、建築板Ａを施工できる。また、本発明の建築板Ａは、家屋等の壁面や外壁のみならず、屋根、内装壁、天井など、種々の箇所へ施工させることも可能である。
【符号の説明】
【００５３】
Ａ    建築板
１    基材
２    凸部
３    凹溝部
５    線状柄
５１  凸部線状柄
５２  凹溝部線状柄
【図１】
0005869909.tif 000002
【図２】
0005869909.tif 000003
【図３】
0005869909.tif 000004
【図４】
0005869909.tif 000005
【図５】
0005869909.tif 000006
【図６】
0005869909.tif 000007